(57)【要約】      （修正有）【課題】簡単な構成で頭部大小のサイズ調節ができる頭部を擦傷及び衝撃等の外力から保護する安全帽を提供する。【解決手段】上方から下方に向かって略半球状となった弾性を有する硬材体２に複数個の小孔３および上方から下方に延びる複数本のスリット４を備えた内殻体１を覆う帽子主体からなる安全帽において、前記下方の端縁６に溝部７を形成して、溝部７に挿入させて内殻体１の下方の端縁６にてスリット４を閉塞するサイズ調節板８を設けた構成である。【選択図】図２
0003142557.tif 000002
【実用新案登録請求の範囲】
【請求項１】
上方から下方に向かって略半球状となった弾性を有する硬材体２に複数個の小孔３および上方から下方に延びる複数本のスリット４を備えた内殻体１を覆う帽子主体Ａからなる安全帽において、前記下方の端縁６に溝部７を形成して、溝部７に挿入させて内殻体１の下方の端縁６にてスリット４を閉塞するサイズ調節板８を設けたことを特徴とする安全帽。
【請求項２】
中央基部５２から放射状に延びる複数本の帯片５１を有する緩衝帯５の帯片５１を内殻体１の下方に位置する内面でスリット４の位置と離れた位置５３に支持して内殻体１の内面との間に空間部が形成されており、内殻体１の下方の端縁６のスリット４の位置に複数個のサイズ調節板８を設けたことを特徴とする請求項１記載の安全帽。
【考案の詳細な説明】
【技術分野】
【０００１】本考案は頭部を擦傷及び衝撃等の外力から保護する安全帽に関するものである。
【背景技術】
【０００２】従来、頭部を擦傷及び衝撃等の外力から保護する安全帽が種々提案されている。【０００３】例えば、特許文献１記載のように上方から下方に向かって略半球状となった弾性を有する硬材体に複数個の小孔および上方から下方に延びる複数本のスリットを備え、中央基部から放射状に延びる複数本の帯片を有する緩衝帯の帯片を内殻体の下方に位置する内面でスリットの位置と離れた位置に支持して内殻体の内面との間に空間部が形成された内殻体を覆う帽子主体からなる安全帽が提案されている。【０００４】しかし、この特許文献１記載の安全帽にあっては、頭部大小のサイズ調節が配慮されておらず、頭部大小に応じた内殻体を用意する必要があった。【０００５】そこで、頭部大小のサイズ調節を配慮した内殻体が、例えば、特許文献２のように合成樹脂製弾性板かより全体としてドーム状に形成され、左右の調節切込みにより前半部とそれよりも半径が小さい後半部との二部分に区分けして内殻体を構成して、その前半部の半径が帽子主体の半径よりも大きい場合には、内殻体を帽子主体内面に沿って後方へずらせることによってまたその逆に小さい場合には内殻体を帽子主体内面に沿って前方へずらせるようにした構成の安全帽が提案されており、特許文献３のように弾性を有する硬質材よりなり、頭部状の一体構造の殻体で、その上半部はスリットと上部補強桁とを交互にかつ喰い違い状に形成して、喰い違った上下部両補強桁によって二重の補強構造体を形成すると共に、緩衝及び通気空間部を形成し、さらに下半部周側部の複数個所に下縁より切欠されたサイズ調節用切割部とひも調節用切欠との協同作用により各種サイズの異なる帽子に適用させた構成の安全帽が提案されている。【０００６】
【特許文献１】実公昭４１−７８３９号公報
【特許文献２】実公昭６０−１８４０６号公報
【特許文献３】実公平６−２３６２６号公報
【考案の開示】
【考案が解決しようとする課題】
【０００７】しかしながら、頭部大小のサイズ調節を配慮した内殻体として提案されている特許文献１記載の提案では、内殻体を帽子主体内面に沿って後方や前方にずらせるために左右の調節切込みにより前半部とそれよりも半径が小さい後半部との二部分に区分けした構成の内殻体が必要であり、成形などの加工コストが高くなるという問題があり、特許文献２の提案では、着用者の頭のサイズに合せて帽子の後端に装着されているサイズ調節用紐を締めて結着する必要があるので、サイズ調節用紐を締め作業が厄介であると共に、外部からの衝撃に対して十分な保護がされていないなどの問題がある。【０００８】本考案は上記問題点を解消し、簡単な構成で頭部大小のサイズ調節ができる安全帽を提供することを目的とする。
【課題を解決するための手段】
【０００９】本考案の安全帽は、上方から下方に向かって略半球状となった弾性を有する硬材体２に複数個の小孔３および上方から下方に延びる複数本のスリット４を備えた内殻体１を覆う帽子主体Ａからなる安全帽において、前記下方の端縁６に溝部７を形成して、溝部７に挿入させて内殻体１の下方の端縁６にてスリット４を閉塞するサイズ調節板８を設けたことを特徴とする。更に、中央基部５２から放射状に延びる複数本の帯片５１を有する緩衝帯５の帯片５１を内殻体１の下方に位置する内面でスリット４の位置と離れた位置５３に支持して内殻体１の内面との間に空間部が形成されており、内殻体１の下方の端縁６のスリット４の位置に複数個のサイズ調節板８を設けたことを特徴とする。
【考案の効果】
【００１０】上記のように本考案によれば、サイズ調節板８を下方の端縁６に形成した溝部７に設けることにより、帽子主体Ａのサイズ調節に対応して頭部大小のサイズ調節ができると共に外部からの衝撃に対してより保護をすることができる。
【考案を実施するための最良の形態】
【００１１】本考案の実施形態を図１から図４に基づいて以下、説明する。【００１２】内殻体１は上方から下方に向かって略半球状となった弾性を有するポリエチレン樹脂などの合成樹脂材でできた硬材体２でできている。この硬材体２に複数個の小孔３および上方から下方に延びる複数本のスリット４が形成されている。この内殻体１は図１にて破線で示す帽子主体Ａにて覆われて、帽子主体Ａの帯状の折り返し片Ａ１を内殻体１の内面に沿うように内側に折り返して内殻体１の下方の端縁６を保持することにより、帽子主体Ａをこの内殻体１にて装着した安全帽である。【００１３】緩衝帯５は柔軟なポリエチレン樹脂などの合成樹脂でできており、中央基部５２から放射状に延びる複数本の帯片５１が内殻体１の下方に位置する内面でスリット４の位置と離れた位置５３に超音波ウェルダにより固着することにより支持されており、内殻体１の内面との間に空間部が形成されている。この緩衝帯５は前記空間部によって通気されて、むれを軽減し爽快に着用しうる安全帽を提供している。【００１４】前記下方の端縁６には溝部７が形成されており、この溝部７にポリエチレン樹脂などの合成樹脂材でできたサイズ調節板８を内殻体１の下方の端縁６にて各スリット４を閉塞するように挿入する。このサイズ調節板８の挿入し超音波ウェルダにより固着するにより緩衝帯５の径が規制される。
【図面の簡単な説明】
【００１５】
【図１】  本考案に係る安全帽の帽子主体を内殻体にて装着した状態を示す側面図である。
【図２】  本考案に係る安全帽の内殻体の断面図である。
【図３】  本考案に係る安全帽の内殻体の部分拡大図である。
【図４】  本考案に係る安全帽の内殻体の内側斜視図である。
【符号の説明】
【００１６】    Ａ  帽子主体
１  内殻体
２  硬材体
３  小孔
４  スリット
５  緩衝帯
６  端縁
７  溝部
８  サイズ調節板
【図１】
0003142557.tif 000003
【図２】
0003142557.tif 000004
【図３】
0003142557.tif 000005
【図４】
0003142557.tif 000006